(57)【要約】【課題】本実施形態では、放送されている番組の映像信号の映像信号伝達特性が切り換わっても、表示されている映像の乱れを抑制する機能を有する、放送信号の受信機および受信方法を提供することを目的とする。【解決手段】本実施形態の受信装置は、映像信号伝達特性を指定する第１の指定情報を配置可能な符号化された映像データと、前記第１の指定情報を引用した第２の指定情報を含む付属データとが、所定のフォーマットで配置されている放送信号を受信する受信装置において、前記放送信号を受信する受信部と、前記受信部で受信した前記放送信号に配置されている前記映像データを復号し前記第１の指定情報を解析する復号部と、前記受信部で受信した前記放送信号に配置されている前記第２の指定情報を解析する解析部と、前記第１の指定情報の解析結果と前記第２の指定情報の解析結果の少なくともひとつを用いて前記受信装置の映像信号伝達特性に関する情報の設定を切り換える制御部とを有する受信装置である。【選択図】図２
2018207210.tif 000002
【特許請求の範囲】
【請求項１】
映像信号伝達特性を指定する第１の指定情報を配置可能な符号化された映像データと、前記第１の指定情報を引用した第２の指定情報を含む付属データとが、所定のフォーマットで配置されている放送信号を受信する受信装置において、
前記放送信号を受信する受信部と、
前記受信部で受信した前記放送信号に配置されている前記映像データを復号し前記第１の指定情報を解析する復号部と、
前記受信部で受信した前記放送信号に配置されている前記第２の指定情報を解析する解析部と、
前記第１の指定情報の解析結果と前記第２の指定情報の解析結果の少なくともひとつを用いて前記受信装置の映像信号伝達特性に関する情報の設定を切り換える制御部と、
を有する放送信号の受信装置。
【請求項２】
前記制御部は、特定情報にもとづいて、前記第１の指定情報の解析結果と前記第２の指定情報の解析結果の少なくともひとつを用いることを決定する請求項１に記載の放送信号の受信装置。
【請求項３】
前記特定情報は、放送波種別である請求項２に記載の放送信号の受信装置。
【請求項４】
前記特定情報は、チャンネル番号である前記請求項２に記載の放送信号の受信装置。
【請求項５】
前記特定情報は、前記第１の指定情報の解析結果あるいは前記第２の指定情報の解析結果である請求項２に記載の放送信号の受信装置。
【請求項６】
前記第１の指定情報はＶＵＩのｔｒａｎｓｆｅｒ  ｃｈａｒａｃｔｅｒｉｓｔｉｃｓであり、前記第２の指定情報はビデオデコードコントロール記述子の映像信号伝達特性あるいは映像コンポーネント記述子の映像信号伝達特性である請求項１に記載の放送信号の受信装置。
【請求項７】
映像信号伝達特性を指定する第１の指定情報を配置可能な符号化された映像データと、前記映像データの映像信号伝達特性が切り替わるタイミングより所定の時間だけ前のタイミングから、切り換え後の前記映像データの映像信号伝達特性を指定する前記第１の指定情報を引用した第２の指定情報とが、所定のフォーマットで配置されている放送信号を受信する受信装置において、
前記放送信号を受信する受信部と、
前記受信部で受信した前記放送信号に配置されている前記映像データを復号し前記第１の指定情報を解析する復号部と、
前記受信部で受信した前記放送信号に配置されている前記第２の指定情報を解析する解析部と、
前記第１の指定情報の解析結果が得られた第１のタイミングで、前記第１の指定情報の解析結果を用いて前記受信装置の第１の機能ブロックの映像信号伝達特性に関する情報の設定を切り換える第１の設定を行い、前記第２の指定情報の解析結果が得られた第２のタイミングで、前記第２の指定情報の解析結果を用いて前記受信装置の第２の機能ブロックの映像信号伝達特性に関する情報の設定を切り換える第２の設定を行う制御部と、
を有する放送信号の受信装置。
【請求項８】
前記第１の機能ブロックは、前記復号部の映像信号伝達特性に関する情報の設定を制御する機能ブロックである請求項７に記載の放送信号の受信装置。
【請求項９】
前記第２の機能ブロックは、前記映像データを表示する際に映像信号伝達特性に関する情報の設定を制御する機能ブロックである請求項７に記載の放送信号の受信装置。
【請求項１０】
前記第１の指定情報はＶＵＩのｔｒａｎｓｆｅｒ  ｃｈａｒａｃｔｅｒｉｓｔｉｃｓであり、前記第２の指定情報はビデオデコードコントロール記述子の映像信号伝達特性あるいは映像コンポーネント記述子の映像信号伝達特性である請求項７に記載の放送信号の受信装置。
【請求項１１】
映像信号伝達特性を指定する第１の指定情報を配置可能な符号化された映像データと、前記第１の指定情報を引用した第２の指定情報を含む付属データとが、所定のフォーマットで配置されている放送信号を受信する受信装置において、
前記放送信号を受信する受信部と、
前記受信部で受信した前記放送信号に配置されている前記映像データを復号し前記第１の指定情報を解析する復号部と、
前記受信部で受信した前記放送信号に配置されている前記第２の指定情報を解析する解析部と、
前記受信装置の外部から入力されたコマンドに応じて、前記受信装置の機能ブロックの映像信号伝達特性に関する情報の設定を切り換える制御部と、
を有し、
前記制御部は、前記コマンドを入力された際に前記第１の指定情報の解析結果と前記第２の指定情報の解析結果の少なくともひとつを用いて映像信号伝達特性に関する情報の設定を切り換える放送信号の受信装置。
【請求項１２】
前記第１の指定情報はＶＵＩのｔｒａｎｓｆｅｒ  ｃｈａｒａｃｔｅｒｉｓｔｉｃｓであり、前記第２の指定情報はビデオデコードコントロール記述子の映像信号伝達特性あるいは映像コンポーネント記述子の映像信号伝達特性である請求項１１に記載の放送信号の受信装置。
【請求項１３】
映像信号伝達特性を指定する第１の指定情報を配置可能な符号化された映像データと、前記第１の指定情報を引用した第２の指定情報を含む付属データとが、所定のフォーマットで配置されている放送信号の受信方法において、
前記放送信号を受信し、
前記受信した前記放送信号に配置されている前記映像データを復号し前記第１の指定情報を解析し、
前記受信した前記放送信号に配置されている前記第２の指定情報を解析し、
前記第１の指定情報の解析結果、前記第２の指定情報の解析結果、の少なくともひとつを用いて映像信号伝達特性に関する情報の設定を切り換える、放送信号の受信方法。
【発明の詳細な説明】
【技術分野】
【０００１】
本発明の実施形態は、放送信号の受信装置および受信方法に関する。
【背景技術】
【０００２】
従来からある地上デジタルテレビジョン、ＢＳデジタル放送、広帯域ＣＳデジタル放送の放送波種別に加え、４Ｋ放送や８Ｋ放送の実用化に向けて高度ＢＳデジタル放送、高度広帯域ＣＳデジタルの放送種別の実用化の検討が進められている。これら放送波種別は、種別ごとに映像符号化方式および符号化映像フォーマットが異なる。また、地上波による４Ｋ、８Ｋ放送は、将来の実現に向けて伝送容量拡大や伝送効率向上技術等の研究開発等が行われている。
【０００３】
実際に番組が放送されているときに、同一のservice_id、component_tagの番組において異なる符号化映像フォーマットへの切り換えが行われることがある。この場合、受信機側でフリーズやミュートが生じないようにシームレスに切り換えることが望ましい。
【０００４】
放送に関するルールを定めた非特許文献２（後述する）において、上記符号化映像フォーマットの切り換えに関する規則が規定されている。この規則では、映像符号化方式がＨＥＶＣ（High Efficiency Video Coding）の場合、符号化映像フォーマットの切り換えの対象パラメータは、ビットレート、ＣＰＢ（Coded Picture Buffer）サイズ、映像解像度、フレームレート、プロファイル、および映像の伝達特性(transfer_characteristics)と規定されている。映像信号の伝達特性の切り換えは、ＳＤＲ(Standard Dynamic Range)（１、１１、１４)からＨＤＲ(High Dynamic Range)（１６、１８）への切り換えもしくはその逆の切り換え、またはＨＤＲ（１６）からＨＤＲ（１８）への切り換えもしくはその逆の切り換えである。
【０００５】
映像信号伝達特性に関する情報は、符号化された映像信号に対する制御情報であるＶＵＩ(Video Usability Information)の中のｔｒａｎｓｆｅｒ＿ｃｈａｒａｃｔｅｒｉｓｔｉｃｓに設定することが可能である。また放送に関するルールを定めた非特許文献１（後述する）あるいは非特許文献３（後述する）では、映像信号伝達特性に関する情報は、伝送制御信号であるＰＭＴ（Program Map Table）の中に配置されるビデオデコードコントロール記述子の伝達特性（transfer_characteristics）あるいはＭＰＴ(MMT Package Table)の中に配置される映像コンポーネント記述子の映像信号伝達特性(video_transfer_characteristics)に設定することが規定されている。
【０００６】
符号化する映像信号に対する制御情報であるＶＵＩの中のｔｒａｎｓｆｅｒ＿ｃｈａｒａｃｔｅｒｉｓｔｉｃｓに設定される映像信号伝達特性に関する情報は、符号化対象の映像信号のダイナミックレンジに関する情報をもとにエンコード時に設定される。このため符号化対象の映像信号の映像信号伝達特性の切り換わるタイミングとＶＵＩの中のｔｒａｎｓｆｅｒ＿ｃｈａｒａｃｔｅｒｉｓｔｉｃｓに設定されている映像信号伝達特性に関する情報が切り換わるタイミングが一致している。一方ＰＭＴの中に配置されるビデオデコードコントロール記述子の伝達特性あるいはＭＰＴの中に配置される映像コンポーネント記述子の映像信号伝達特性は、符号化対象の映像信号のダイナミックレンジの切り換えに対する受信機の処理に時間的な余裕を持たせるため、符号化対象の映像信号のダイナミックレンジの切り換わるタイミングより前のタイミングから切り換わり、切り換わった後の映像信号伝達特性に関する情報を設定する仕様となっている。
【先行技術文献】
【特許文献】
【０００７】
【特許文献１】特開２０１６−１９５４５０号公報
【非特許文献】
【０００８】
【非特許文献１】「デジタル放送に使用する番組配列情報  標準規格」  ARIB STD-B10 5.10版  2017年3月24日改定、一般社団法人  電波産業会
【非特許文献２】「デジタル放送における映像符号化、音声符号化及び多重方式  標準規格」  ARIB STD-B32 3.9版  2016年12月9日改定、一般社団法人  電波産業会
【非特許文献３】「デジタル放送におけるＭＭＴによるメディアトランスポート方式  標準規格」  ARIB STD-B60 1.9版  2017年3月24日改定、一般社団法人  電波産業会
【非特許文献４】「高度広帯域衛星デジタル放送運用規定式  技術資料」  ARIB TR-B39 1.3版  2017年3月24日改定、一般社団法人  電波産業会
【発明の概要】
【発明が解決しようとする課題】
【０００９】
以上のように、放送されている番組の映像信号の映像信号伝達特性が切り換わる場合、その映像信号伝達特性の情報が設定されているＶＵＩのｔｒａｎｓｆｅｒ＿ｃｈａｒａｃｔｅｒｉｓｔｉｃｓの切り換えタイミングと、ＰＭＴの中に配置されているビデオデコードコントロール記述子の伝達特性あるいはＭＰＴの中に配置されている映像コンポーネント記述子の映像信号伝達特性の切り換えタイミングが異なって設定されている。
【００１０】
既にサービスが開始されているＨＤＲ画質の番組を受信する受信機は、符号化された映像信号の制御情報であるＶＵＩのｔｒａｎｓｆｅｒ＿ｃｈａｒａｃｔｅｒｉｓｔｉｃｓの値に基づいて、表示する番組の映像信号の映像信号伝達特性の切り換えを制御している。一方、放送波種別が高度ＢＳデジタル放送の場合は、ビデオデコードコントロール記述子の伝達特性あるいは映像コンポーネント記述子の映像信号伝達特性の値に基づいて表示する番組の映像の映像信号伝達特性の切り換えを制御することが検討されている。このため受信機は、高度ＢＳデジタル放送のＳＤＲとＨＤＲの切り換え制御あるいはＨＤＲ（１６）とＨＤＲ（１８）の切り換え制御の方法が規格されたとしても、現状サービスが行われているＶＵＩのｔｒａｎｓｆｅｒ＿ｃｈａｒａｃｔｅｒｉｓｔｉｃｓの値に基づく映像信号伝達特性の切り換え制御に対しても対応する必要がある。
【００１１】
さらに受信機の内部処理においては、表示する番組の映像信号の映像信号伝達特性の切り換えに対応して、例えばパネルのバックライト制御のようにある一定時間をかけて緩やかに変化させることが要求される機能ブロック、映像信号のデコード回路のように瞬時に切り換えることが要求される機能ブロック、など切り換えに必要となる処理時間が異なる機能ブロックが存在している。
【００１２】
このため受信機が表示する映像の映像信号伝達特性の切り換えは、伝送制御信号であるＰＭＴあるいはＭＰＴを受信したタイミングの時間管理だけでは、シームレスな切り換えが実現できないことが予想される。
【００１３】
そこで本実施形態では、放送されている番組の映像信号の映像信号伝達特性が切り換わっても、表示されている映像の乱れを抑制する機能を有する、放送信号の受信機および受信方法を提供することを目的とする。
【課題を解決するための手段】
【００１４】
本実施形態の受信装置は、映像信号伝達特性を指定する第１の指定情報を配置可能な符号化された映像データと、前記第１の指定情報を引用した第２の指定情報を含む付属データとが、所定のフォーマットで配置されている放送信号を受信する受信装置において、
前記放送信号を受信する受信部と、前記受信部で受信した前記放送信号に配置されている前記映像データを復号し前記第１の指定情報を解析する復号部と、前記受信部で受信した前記放送信号に配置されている前記第２の指定情報を解析する解析部と、前記第１の指定情報の解析結果と前記第２の指定情報の解析結果の少なくともひとつを用いて前記受信装置の映像信号伝達特性に関する情報の設定を切り換える制御部とを有する受信装置である。
【図面の簡単な説明】
【００１５】
【図１】図１は、放送波種別と、映像符号化方式および符号化映像フォーマットとの関係を示した図である。
【図２】図２は、一実施形態に係る放送局と受信機のシステム全体の構成例を示す図である。
【図３Ａ】図３Ａは、放送局の主な構成を概略的に示した図である。
【図３Ｂ】図３Ｂは、第１の指定情報の一例であるＶＵＩの中のｔｒａｎｓｆｅｒ＿ｃｈａｒａｃｔｅｒｉｓｔｉｃｓに設定される値とその意味を示した図である。
【図３Ｃ】図３Ｃは、非特許文献１に記載のＭＰＥＧ−２  Ｓｙｓｔｅｍｓの多重化方式で定義されている各種テーブルの一覧を示した図である。
【図３Ｄ】図３Ｄは、非特許文献３に記載のＭＭＴの多重化方式で定義されている各種テーブルの一覧を示した図である。
【図３Ｅ】図３Ｅは、第２の指定情報の一例である非特許文献１に記載のビデオデコードコントロール記述子のフォーマットを示した図である。
【図３Ｆ】図３Ｆは、非特許文献１に記載のビデオデコードコントロール記述子の中の伝達特性のビットアサインを示した図である。
【図３Ｇ】図３Ｇは、第２の指定情報の一例である非特許文献３に記載の映像コンポーネント記述子のフォーマットを示した図である。
【図３Ｈ】図３Ｈは、非特許文献３に記載の映像コンポーネント記述子の中の映像信号伝達特性のビットアサインを示した図である。
【図４】図４は、放送波の伝送路における主なストリームおよび情報を示した図である。
【図５Ａ】図５Ａは、一実施形態に係る受信機の主な構成を概略的に示した図である。
【図５Ｂ】図５Ｂは、一実施形態に係る受信機の、受信した番組の映像信号伝達特性を認識するために必要な機能ブロックの詳細な構成を示した図である。
【図６Ａ】図６Ａは、第１の実施形態の受信機が、受信した放送番組の映像信号伝達特性を認識する方法を決定する際に使用する、特定情報の種類とその内容の一覧を示した図である。
【図６Ｂ】図６Ｂは、第１の実施形態の受信機における映像信号伝達特性の切り換えを、特定情報として放送波種別を用いて行う場合（図６ＡのＮｏ１の場合）の処理フローの一例を示した図である。
【図６Ｃ】図６Ｃは、第１の実施形態の受信機における映像信号伝達特性の切り換えを、特定情報としてチャンネル番号を用いて行う場合（図６ＡのＮｏ２の場合）の処理フローの一例を示した図である。
【図６Ｄ】図６Ｄは、第１の実施形態の受信機における映像信号伝達特性の切り換えを、特定情報としてビデオデコードコントロール記述子の伝達特性の値あるいは映像コンポーネント記述子の映像信号伝達特性の値、ＶＵＩのｔｒａｎｓｆｅｒ＿ｃｈａｒａｃｔｅｒｉｓｔｉｃｓの値のいずれかを用いて行う場合（図６ＡのＮｏ３の場合）の処理フローの一例を示した図である。
【図６Ｅ】図６Ｅは、第１の実施形態の受信機における、第２の指定情報として映像コンポーネント記述子を用いた場合の、図６Ｂに対応する処理フローの一例を示した図である。
【図７Ａ】図７Ａは、映像信号の映像信号伝達特性が切り替わるタイミングであるＶＵＩのｔｒａｎｓｆｅｒ＿ｃｈａｒａｃｔｅｒｉｓｔｉｃｓの値が切り換わるタイミング（第１のタイミング）とビデオデコードコントロール記述子の伝達特性の値が切り替わるタイミング（第２のタイミング）との関係の一例を示した図である。
【図７Ｂ】図７Ｂは、第２の実施形態の受信機における映像信号伝達特性の切り換えを、第１のタイミングと第２のタイミングで行う場合の処理フローの一例を示した図である。
【図７Ｃ】図７Ｃは、第１の機能ブロックおよび第２の機能ブロックの具体的な例を示した図である。
【図７Ｄ】図７Ｄは、映像信号の映像信号伝達特性が切り替わるタイミングであるＶＵＩのｔｒａｎｓｆｅｒ＿ｃｈａｒａｃｔｅｒｉｓｔｉｃｓの値が切り換わるタイミング（第１のタイミング）とビデオデコードコントロール記述子の伝達特性の値が切り替わるタイミング（第２のタイミング）との関係の他の例を示した図である。
【図８Ａ】図８Ａは、表示器に表示されている番組の映像の例を示した図である。
【図８Ｂ】図８Ｂは、表示器に表示されている番組の映像信号に対して、映像信号伝達特性が異なる映像信号の表示に切り換えるための、リモコン上の操作ボタンの例を示した図である。
【図９Ａ】図９Ａは、第３の実施形態の受信機における映像信号伝達特性の切り換えを、ボタン８０２が押下されたことをトリガに行う場合の、処理フローの一例を示した図である。
【図９Ｂ】図９Ｂは、第３の実施形態の受信機において、ボタン８０２が押下されたタイミングと、第１の機能ブロックおよび第２の機能ブロックの映像信号伝達特性に関する設定の切り換えタイミングの関係の一例を示した図である。
【図９Ｃ】図９Ｃは、第３の実施形態の受信機において、第１の機能ブロックおよび第２の機能ブロックに対して、映像信号伝達特性に関する設定の切り換えのタイミングを個々に設定する場合の処理フローの一例を示した図である。
【発明を実施するための形態】
【００１６】
以下、実施の形態について図面を用いて説明する。
【００１７】
図１は、非特許文献２に規定されている放送波種別と、映像符号化方式および符号化映像フォーマットとの関係を示した図である。縦軸方向に、符号化映像フォーマット（映像信号特性と映像フォーマットに細分類）と映像符号化方式とを示し、横軸方向に放送波種別を示している。図１に示すように、符号化映像フォーマットおよび映像符号化方式は放送波種別によって異なる。また符号化映像フォーマットには、図１に記載されている以外でも例えば映像の伝達特性（後述する）等がある。
【００１８】
図２は、一実施形態に係る放送局と受信機のシステム全体の構成例を示す図である。
【００１９】
放送局２００は、放送局サーバ２０１、第１のセキュリティー機能２０２、第１の基本機能２０３を備える。第１の基本機能２０３は、放送局２００の基本的な機能であり、放送する番組の映像信号や音声信号等を符号化（エンコードとも言う）して多重化し、放送信号（この放送信号は、地上デジタルテレビジョン、ＢＳデジタル放送、広帯域ＣＳデジタル放送、高度ＢＳデジタル放送、高度広帯域ＣＳデジタル放送、などいずれの放送波種別によるものであってもよい）として送出する機能を持つ。また第１の基本機能２０３は、デジタル放送信号、アプリケーション制御情報、コンテンツの表示に関する制御情報である伝送制御信号等も放送信号として送出することができる。
【００２０】
放送局サーバ２０１は、番組タイトル、番組ＩＤ、番組概要、出演者、放送日時、その他のデータ等のメタデータを、放送信号により受信機に送出するために、予め保存しておくエリアである。
【００２１】
第１のセキュリティー機能２０２は、放送局が送出する放送波に含まれるコンテンツ（番組）の保護に関する設定を行うことができる。
【００２２】
受信機２１０は、デジタル放送の受信機能（第２の基本機能２１１）、第２のセキュリティー機能２１２、ＡＰＩ２１３、アプリケーション管理機能２１４を備え、放送信号を受信して各種放送番組および各種サービス情報を受信することができる。
【００２３】
第２の基本機能２１１は、受信機の基本的な機能であり、放送局２００から送られてくる放送波を受信し、放送波に含まれる放送信号の符号化された映像信号（映像ストリームとも呼ぶ）、符号化された音声信号（音声ストリームとも呼ぶ）および付随する伝送制御信号等の制御信号を分離し、映像信号および音声信号をデコードしたり伝送制御信号等の制御信号を解析したりする機能を持つ。
【００２４】
また、第２の基本機能２１１は、受信機２１０に接続されている周辺機器、例えば表示器２２０、表示器２２０にバインドされているＨＤＤ（ＨｒａｄＤｉｓｋＤｒｉｖｅ）２３０、リムーバルメディア２４０、スマートフォン２５０との接続やデータの送受信の管理も行う。
【００２５】
映像信号の映像信号伝達特性に関する情報は、第１の基本機能２０３において第１の指定情報あるいは第２の指定情報に設定される。ここで第１の指定情報は、符号化された映像信号に対する制御情報の中の１つである映像信号伝達特性に関する情報である。第１の指定情報は、例えば符号化された映像信号の制御情報の１つであるＶＵＩの中のｔｒａｎｓｆｅｒ＿ｃｈａｒａｃｔｅｒｉｓｔｉｃｓである。また第２の指定情報は、伝送制御信号の中に設定された映像信号伝達特性に関する情報である。第２の指定情報は、例えば伝送制御信号であるＰＭＴの中に配置されるビデオデコードコントロール記述子の伝達特性あるいはＭＰＴの中に配置される映像コンポーネント記述子の映像信号伝達特性である。
【００２６】
第２の基本機能２１１は、受信する映像信号の映像信号伝達特性を認識するのに、第１の指定情報の値を用いる方法、第２の指定情報の値を用いる方法、の少なくとも１つの方法を用いることができる。
【００２７】
また第２の基本機能２１１は、用いた方法にもとづいて第１の指定情報の値の解析、あるいは第２の指定情報の値の解析を行い、解析結果にもとづいて映像信号伝達特性の設定が必要な機能ブロックの制御を行うこともできる。
【００２８】
第２のセキュリティー機能２１２は、第２の基本機能２１１で解析された伝送制御信号を読み込み、その中に含まれる放送局２００の第１のセキュリティー機能２０２で設定された番組の保護に関する情報の解析を行う。
【００２９】
ＡＰＩ２１３は、第２の基本機能２１１と、アプリケーション管理機能２１４およびアプリケーション２１５が連携して動作するためのインターフェース（Ｉ／Ｆ）である。
【００３０】
アプリケーション管理機能２１４は、アプリケーション２１５を管理する機能をもち、第２の基本機能２１１とＡＰＩ２１３を介してアプリケーション２１５と連携して動作する。アプリケーション管理機能２１４は、ユーザインターフェースの機能も含み、例えば表示器２２０に表示する映像の制御を行う機能を有している。
【００３１】
アプリケーション２１５は、第２の基本機能２１１およびアプリケーション管理機能２１４と連携して動作するアプリケーションであり、ユーザあるいは受信機２１０が逐次ネットワーク（図示しない）を経由してダウンロード／更新することが可能である。これらの更新により受信機２１０を使用するユーザの使い勝手を向上させることが出来る。
【００３２】
表示器２２０は、スピーカー２２１を内蔵しており、第２の基本機能２１１においてデコードされた映像信号を表示領域に表示したり音声信号をスピーカー２２１に出力したりする。なお、表示器２２０に内蔵されているスピーカー２２１は、ＵＳＢ等のＩ／Ｆにより接続した外部のスピーカーであってもよい。
【００３３】
図３Ａは、放送局３００（図２の２００に対応）の主な構成を概略的に示した図である。放送局３００は、映像エンコーダ３０１、音声エンコーダ３０２、字幕エンコーダ３０３、ならびに伝送制御信号等の制御データ、サービスデータおよび受信機２１０で動作するアプリケーション２１５を制御するアプリケーション制御情報等を含む付属データを生成する付属データ生成部３０４を備える。また放送局３００は、放送局サーバ３１１（図２の２０１に対応）、第１のセキュリティー機能３１２（図２の２０２に対応）および送受信部３１３が連携している。映像エンコーダ３０１、音声エンコーダ３０２、字幕エンコーダ３０３、付属データ生成部３０４、多重化部３０５、送信機３０６、送受信部３１３を合わせて第１の基本機能３１０（図２の２０３に対応）と呼ぶ。
【００３４】
映像エンコーダ３０１のコーデック種別は、ＭＰＥＧ−２、Ｈ．２６４(AVC:Advance Video Coding)、Ｈ．２６５（HEVC:High Efficiency Video Coding）のいずれでもよいものとする。またコーデック種別は、これに限るものではない。
【００３５】
また多重化方式は、ＭＰＥＧ−２  Ｓｙｓｔｅｍｓの多重化方式あるいはＭＭＴ（Mpeg Media Transport）の多重化方式の方式を用いてもよいし、両方を用いてもよいものとする。また多重化方式は、これに限るものではない。
【００３６】
なお映像エンコーダ３０１は、送信する番組の映像信号のエンコードデータを生成する際に、エンコード対象の映像信号の映像信号伝達特性に関する情報を設定する第１の指定情報に、映像信号伝達特性の情報を任意に設定することができる。
【００３７】
図３Ｂは、第１の指定情報の一例であるＶＵＩの中のｔｒａｎｓｆｅｒ＿ｃｈａｒａｃｔｅｒｉｓｔｉｃｓに設定される値とその意味を示した図である。ｔｒａｎｓｆｅｒ＿ｃｈａｒａｃｔｅｒｉｓｔｉｃｓの値が１は、Ｒｅｃ．ＩＴＵ−Ｒ  ＢＴ．７０９（ＳＤＲ（１）とも呼ぶ）を意味しており、１１はＩＥＣ６１９６６−２−４（ＳＤＲ（１１）とも呼ぶ）を意味しており、１４はＲｅｃ．ＩＴＵ−Ｒ  ＢＴ．２０２０（ＳＤＲ（１４）とも呼ぶ）を意味している。またｔｒａｎｓｆｅｒ＿ｃｈａｒａｃｔｅｒｉｓｔｉｃｓの値が１６は、ＰＱ(Perceptual Quantization)方式のＨＤＲ（ＨＤＲ（１６）とも呼ぶ）を意味しており、ｔｒａｎｓｆｅｒ＿ｃｈａｒａｃｔｅｒｉｓｔｉｃｓの値が１８は、ＨＬＧ(Hybrid Log-Gamma)方式のＨＤＲ（ＨＤＲ（１８）とも呼ぶ）を意味している。
【００３８】
映像エンコーダ３０１、音声エンコーダ３０２、字幕エンコーダ３０３、付属データ生成部３０４の各出力はストリーム化されており、これらのストリームは、多重化部３０５において多重化される。多重化されたストリーム（放送信号）は、多重化ストリームとして送信機３０６に送出され、放送電波によりアンテナから送信される。
【００３９】
付属データ生成部３０４が生成する伝送制御信号は、テーブルと呼ばれる特定のフォーマットで構成されており、記述子と呼ばれる情報記述領域を持つ。送信する伝送制御信号により、送信に使用するテーブルの種類が規定されている。またテーブルおよびその中に配置される記述子は、ＭＰＥＧ−２  Ｓｙｓｔｅｍｓの多重化方式およびＭＭＴ（Mpeg Media Transport）の多重化方式おのおのにおいて定義されている。
【００４０】
また付属データ生成部３０４は、送信する番組の映像信号の映像信号伝達特性に関する情報を設定する第２の指定情報に、第１の指定情報を引用して設定することができる。
【００４１】
図３Ｃは、非特許文献１に記載のＭＰＥＧ−２  Ｓｙｓｔｅｍｓの多重化方式で定義されている各種テーブルの一覧を示した図である。各テーブルの名称と各テーブルの機能の概要を示している。ＰＭＴは、後述するビデオデコードコントロール記述子を含むテーブルである。
【００４２】
図３Ｄは、非特許文献３に記載のＭＭＴの多重化方式で定義されている各種テーブルの一覧を示した図である。各テーブルの名称と各テーブルの機能の概要を示している。ＭＰＴは、後述する映像コンポーネント記述子を含むテーブルである。
【００４３】
図３Ｅは、第２の指定情報の一例である非特許文献１に記載のビデオデコードコントロール記述子のフォーマットを示した図である。ビデオデコードコントロール記述子の中の伝達特性３４０が、映像信号伝達特性の情報を設定するフィールドであり、２ビットが割り当てられている。
【００４４】
図３Ｆは、非特許文献１に記載のビデオデコードコントロール記述子の中の伝達特性のビットアサインを示した図である。伝達特性の値が００は、ＶＵＩのｔｒａｎｓｆｅｒ＿ｃｈａｒａｃｔｅｒｉｓｔｉｃｓの値の１、１１または１４のいずれかの場合であることを意味し、伝達特性の値が０１は、ＶＵＩのｔｒａｎｓｆｅｒ＿ｃｈａｒａｃｔｅｒｉｓｔｉｃｓの値の１６の場合を意味し、伝達特性の値が１０は、ＶＵＩのｔｒａｎｓｆｅｒ＿ｃｈａｒａｃｔｅｒｉｓｔｉｃｓの値の１８の場合を意味し、伝達特性の値が１１は、映像信号伝達特性を指定しないことを意味している。
【００４５】
このようにビデオデコードコントロール記述子の伝達特性に設定される値の内容は、ＶＵＩのｔｒａｎｓｆｅｒ  ｃｈａｒａｃｔｅｒｉｓｔｉｃｓに規定されている値を引用したものとなっている。
【００４６】
図３Ｇは、第２の指定情報の一例である非特許文献３に記載の映像コンポーネント記述子のフォーマットを示した図である。映像コンポーネント記述子の中の映像信号伝達特性３５０が、映像信号伝達特性の情報を設定するフィールドであり、４ビットが割り当てられている。
【００４７】
図３Ｈは、非特許文献３に記載の映像コンポーネント記述子の中の映像信号伝達特性のビットアサインを示した図である。映像信号伝達特性の値が０は、映像信号伝達特性を指定しないことを意味し、映像信号伝達特性の値が１は、ＶＵＩのｔｒａｎｓｆｅｒ＿ｃｈａｒａｃｔｅｒｉｓｔｉｃｓの値の１の場合を意味し、映像信号伝達特性の値が２は、ＶＵＩのｔｒａｎｓｆｅｒ＿ｃｈａｒａｃｔｅｒｉｓｔｉｃｓの値の１１の場合を意味し、映像信号伝達特性の値が３は、ＶＵＩのｔｒａｎｓｆｅｒ＿ｃｈａｒａｃｔｅｒｉｓｔｉｃｓの値の１４の場合を意味し、映像信号伝達特性の値が４は、ＶＵＩのｔｒａｎｓｆｅｒ＿ｃｈａｒａｃｔｅｒｉｓｔｉｃｓの値の１６の場合を意味し、映像信号伝達特性の値が５は、ＶＵＩのｔｒａｎｓｆｅｒ＿ｃｈａｒａｃｔｅｒｉｓｔｉｃｓの値の１８の場合を意味している。
【００４８】
このように映像コンポーネント記述子の映像信号伝達特性に設定される値の内容は、ＶＵＩのｔｒａｎｓｆｅｒ＿ｃｈａｒａｃｔｅｒｉｓｔｉｃｓに規定されている値を引用したものとなっている。
【００４９】
図４は、放送波の伝送路４００における主なストリームおよび情報を示した図である。映像ストリーム、音声ストリーム、データ放送ストリーム、付属データが、図３Ａで示した多重化部３０５で多重化され放送波として伝送路４００に送出される。
【００５０】
図５Ａは、一実施形態に係る受信機５００（図２の２１０に対応）の主な構成を概略的に示した図である。受信機５００は、放送波を受信する受信機能である第２の基本機能５１５（図２の２１１に対応）を有する。
【００５１】
第２の基本機能５１５は、放送チューナ５０１、デスクランブラ５０２、ＣＡＳモジュール５０３、デマルチプレクサ５０４、データ放送受信処理部５０５、映像デコーダ５０６、音声デコーダ５０７、字幕デコーダ５０８、付属データ解析部５０９、制御部５１０、データ放送エンジン５１１からなる。
【００５２】
放送チューナ５０１は、放送波で送られてきたストリーム（放送信号）を復調する。復調されたストリーム（放送信号）は、デスクランブラ５０２に入力される。デスクランブラ５０２は、入力されたストリームをＣＡＳ(Conditional Access System)モジュール５０３からの鍵を用いてデスクランブルする。デスクランブラ５０２によりデスクランブルされたストリームは、デマルチプレクサ５０４に入力される。
【００５３】
デマルチプレクサ５０４は、多重化されているストリームを映像ストリーム、音声ストリーム、データ放送ストリーム、付属データに分離し、分離したストリームを対応するデコーダや解析部に入力する。
【００５４】
デマルチプレクサ５０４で分離された映像ストリームは映像デコーダ５０６でデコードされ、音声ストリームは音声デコーダ５０７でデコードされ、付属データに含まれる字幕ストリームは、字幕デコーダ５０８でデコードされる。また付属データに含まれるアプリケーション制御情報、サービスデータ、制御データは、付属データ解析部５０９で解析される。
【００５５】
デコードされた映像信号および字幕信号は、合成器５２６で合成され表示制御部５２７を介して表示器５２８（図２の２２０に対応）に出力される。表示制御部５２７は、ガンマ特性の設定、表示画面サイズの設定、表示信号レベルの設定などを行う。
【００５６】
また音声デコーダ５０７でデコードされた音声データは、スピーカー５３０（図２の２２１に対応）に出力される。
【００５７】
映像デコーダ５０６は、符号化された映像信号をデコードする際に第１の指定情報の抽出を行い、抽出した第１の指定情報の値を制御部５１０に送る。
【００５８】
また、デマルチプレクサ５０４で分離されたデータ放送ストリームは、データ放送受信処理部５０５で受信され、データ放送エンジン５１１に入力される。データ放送エンジン５１１は、データ放送により送られてきた表示用信号を解析し、合成器５２６を介して解析した内容を表示制御部５２７に出力する。表示制御部５２７は、送られてきた表示用信号の解析内容を元に、表示器５２８に表示内容を表示する。
【００５９】
付属データ解析部５０９は、アプリケーション制御情報、サービスデータ、制御データの解析を行い、アプリケーション制御情報およびサービスデータの解析結果を統合制御器５２１に、制御データの解析結果を制御部５１０に送付する。制御データに含まれる第２の指定情報は、付属データ解析部５０９で解析され、解析結果は制御部５１０にも送られる。
【００６０】
制御部５１０は、受信した番組の映像信号の映像信号伝達特性を認識するのに、第１の指定情報の値を用いる方法、第２の指定情報の値を用いる方法、の少なくとも１つの方法を用いることができる。また制御部５１０は、用いた方法にもとづいて第１の指定情報の値の解析、第２の指定情報の値の解析を行い、解析結果に基づいて映像信号伝達特性の設定の切り換えが必要な機能ブロックの制御も行うことができる。
【００６１】
さらに受信機５００は、全体的な動作を制御する手段として統合制御器５２１を有する。統合制御器５２１は、第２のセキュリティー機能５２２（図２の２１２に対応）、ＡＰＩ５２３（図２の２１３に対応）、アプリケーション管理機能５２４（図２の２１４に対応）から構成される。また、統合制御器５２１は、受信機５００が現在表示器５２８に表示している番組のチャンネルの情報や放送波種別の情報も管理している。制御部５１０は、統合制御器５２１に問い合わせることで、受信機５００が現在表示器５２８に表示している番組のチャンネル情報や放送波種別の情報を取得することができる。
【００６２】
第２のセキュリティー機能５２２は、放送波に含まれる伝送制御信号の中からコンテンツの保護に関する情報を読み出し、表示制御部５２７を介して表示器５２８に表示あるいはスピーカー５３０に出力する際や、接続されている周辺機器（図示しない）に出力する際にコンテンツ保護の処理を行う。
【００６３】
ＡＰＩ５２３は、第２の基本機能５１５と、アプリケーション管理機能５２４およびアプリケーション５２５とが連携して動作するためのＩ／Ｆである。
【００６４】
アプリケーション管理機能５２４は、放送波で送られてきたアプリケーション制御情報に含まれる各種制御情報に基づいて、受信機５００の各機能ブロックを制御する。またアプリケーション管理機能５２４は、ＡＰＩ５２３を介して第２の基本機能５１５と連携して、アプリケーション５２５の管理を行う。
【００６５】
なお、映像デコーダ５０６のコーデック種別は、Ｈ．２６５（HEVC:High Efficiency Video Coding）とするが、これに限定されるものではなく、ＭＰＥＧ−２、Ｈ．２６４(AVC:Advance Video Coding)のいずれでもよい。またコーデック種別は、これに限るものではない。
【００６６】
図５Ｂは、一実施形態に係る受信機の、受信した番組の映像信号伝達特性を認識するために必要な機能ブロックの詳細な構成を示した図である。なお以降の説明では、第１の指定情報としてＶＵＩのｔｒａｎｓｆｅｒ＿ｃｈａｒａｃｔｅｒｉｓｔｉｃｓを例にして、第２の指定情報としてビデオデコードコントロール記述子の伝達特性または映像コンポーネント記述子の映像信号伝達特性を例にして説明する。
【００６７】
映像デコーダ５０６は、デコード処理部５０６１と制御情報解析部５０６２とからなる。付属データ解析部５０９は、付属データ分離部５０９１と記述子抽出部５０９２とからなる。
【００６８】
放送波で送られてきたストリーム（放送信号）は、放送チューナ５０１で復調され、復調されたストリーム（放送信号）は、デマルチプレクサ５０４で映像ストリーム、音声ストリーム、データ放送ストリーム、付属データに分離される。
【００６９】
デマルチプレクサ５０４で分離された映像ストリームは、映像デコーダ５０６のデコード処理部５０６１に入力される。デコード処理部５０６１は、映像ストリームをデコードするとともに、デコード対象の映像ストリームの制御情報を制御情報解析部５０６２に送る。制御情報解析部５０６２は、受信した制御情報から映像信号伝達特性に関する情報であるＶＵＩのｔｒａｎｓｆｅｒ＿ｃｈａｒａｃｔｅｒｉｓｔｉｃｓの値を抽出する。制御情報解析部５０６２は、抽出したｔｒａｎｓｆｅｒ＿ｃｈａｒａｃｔｅｒｉｓｔｉｃｓの値を制御部５１０に送る。また、デコード処理部５０６１は、デコードした映像信号を、表示器５２８に表示するために表示制御部５２７に送る。
【００７０】
デマルチプレクサ５０４で分離された付属データは、付属データ解析部５０９の付属データ分離部５０９１に入力される。付属データ分離部５０９１は、送られてきた付属データを解析して、アプリケーション制御情報、サービスデータ、制御データに分離する。付属データ分離部５０９１は、付属データの分離が完了すると、その中に含まれる伝送制御信号を記述子抽出部５０９２に送る。記述子抽出部５０９２は、送られてきた伝送制御信号から映像信号伝達特性に関する情報であるビデオデコードコントロール記述子の伝達特性の値あるいは映像コンポーネント記述子の映像信号伝達特性の値を抽出する。記述子抽出部５０９２は、抽出した伝達特性の値あるいは映像信号伝達特性の値を制御部５１０に送る。
【００７１】
制御部５１０は、制御情報解析部５０６２から送られてきたｔｒａｎｓｆｅｒ＿ｃｈａｒａｃｔｅｒｉｓｔｉｃｓの値、記述子抽出部５０９２から送られてきた伝達特性あるいは映像信号伝達特性の値を解析することで、受信した放送番組の映像信号の映像信号伝達特性に関する情報を認識する。また認識した映像信号伝達特性に関する情報に基づいて、映像信号伝達特性の設定の切り換えが必要な機能ブロックの制御も行う。
【００７２】
＜第１の実施形態＞
第１の実施形態の受信機５００は、放送されている番組の映像信号の映像信号伝達特性が切り替わる場合、受信した放送番組の映像信号伝達特性に関する情報を認識するのに、特定情報にもとづいて、ビデオデコードコントロール記述子の伝達特性の値または映像コンポーネント記述子の映像信号伝達特性の値を用いる方法、ＶＵＩのｔｒａｎｓｆｅｒ＿ｃｈａｒａｃｔｅｒｉｓｔｉｃｓの値を用いる方法のいずれかの方法を少なくとも１つを用い、用いた方法にもとづいて認識した映像信号伝達特性の情報をもとに、映像信号伝達特性の設定の切り換えが必要な機能ブロックの制御を行うことが可能な受信機である。
【００７３】
図６Ａは、第１の実施形態の受信機５００が、受信した放送番組の映像信号伝達特性を認識する方法を決定する際に使用する、特定情報の種類とその内容を示した図である。
【００７４】
特定情報（項目）は、受信機５００が受信した放送番組の映像信号伝達特性に関する情報を認識する方法を決定する際に用いる特定情報の項目を示している。特定情報（内容）は、特定情報（項目）の具体的な内容を示している。映像信号伝達特性の認識に使用する値は、特定情報（項目）および特定情報（内容）に対応して、受信機５００が受信した放送番組の映像信号伝達特性に関する情報を認識するのに用いる値を示している。
【００７５】
図６Ｂは、第１の実施形態の受信機５００における映像信号伝達特性の切り換えを、特定情報として放送波種別を用いて行う場合（図６ＡのＮｏ１の場合）の処理フローの一例を示した図である。
【００７６】
受信機５００は、放送チューナ５０１で受信した放送波をデマルチプレクサ５０４で分離すると、分離した映像ストリームを映像デコーダ５０６に、付属データを付属データ解析部５０９に送ることで映像信号伝達特性の切り換え処理（Ｓ６００）を開始する。
【００７７】
制御部５１０は、統合制御器５２１に問い合わせることで、受信機５００が現在表示器５２８に表示している番組（視聴している番組）の放送波種別の情報を入手する。制御部５１０は、入手した放送波種別の情報が高度ＢＳデジタルの場合（Ｓ６０１のＹｅｓ）は、記述子抽出部５０９２にビデオデコードコントロール記述子の伝達特性の抽出を指示する。
【００７８】
抽出の指示を付けた記述子抽出部５０９２は、伝送制御信号からＰＭＴを抽出し（Ｓ６０２）、抽出したＰＭＴからビデオデコードコントロール記述子を抽出する（Ｓ６０３）。ビデオデコードコントロール記述子を抽出した記述子抽出部５０９２は、ビデオデコードコントロール記述子の中の伝達特性を抽出する（Ｓ６０４）。記述子抽出部５０９２は、抽出した伝達特性の値が前回抽出した伝達特性の値と同一かどうかを判定する（Ｓ６０５）。
【００７９】
判定の結果同一である場合（Ｓ６０５のＹｅｓ）、現在表示器５２８に表示している番組（視聴している番組）の映像信号に映像信号伝達特性の切り換えが発生していないと判断し、次の送られてくる伝送制御信号からＰＭＴの抽出を再度行う（Ｓ６０２）。
【００８０】
判定の結果同一でない場合（Ｓ６０５のＮｏ）、現在表示器５２８に表示している番組（視聴している番組）の映像信号に映像信号伝達特性の切り換えが発生したと判断し、抽出した伝達特性の値を制御部５１０に送る。
【００８１】
伝達特性を受信した制御部５１０は、現在表示器５２８に表示している番組（視聴している番組）の映像信号に映像信号伝達特性の切り換えが発生したと認識し、Ｓ６０４で抽出した伝達特性の値を判定し（Ｓ６０６）、その値に従って該当する機能ブロックの映像信号伝達特性に関する設定の切り換え処理を行う（Ｓ６０７）。
【００８２】
以降、映像信号が続く限り（Ｓ６０８のＹｅｓ）、Ｓ６０１からの処理を繰り返す。
【００８３】
例えばチャンネル切り換えや放送波種別切り換えなど現在視聴しているチャンネルから他のチャンネルに移動して映像信号が途切れる場合（Ｓ６０８のＮｏ）、映像信号伝達特性の切り換え処理を終了する（Ｓ６０９）。
【００８４】
制御部５１０は、入手した放送波種別の情報が高度ＢＳデジタル以外の場合（Ｓ６０１のＮｏ）は、制御情報解析部５０６２にＶＵＩのｔｒａｎｓｆｅｒ＿ｃｈａｒａｃｔｅｒｉｓｔｉｃｓの抽出を指示する。
【００８５】
抽出の指示を受けた制御情報解析部５０６２は、制御情報からＶＵＩのｔｒａｎｓｆｅｒ＿ｃｈａｒａｃｔｅｒｉｓｔｉｃｓを抽出する（Ｓ６１０）。制御情報解析部５０６２は、抽出したｔｒａｎｓｆｅｒ＿ｃｈａｒａｃｔｅｒｉｓｔｉｃｓの値が前回抽出したｔｒａｎｓｆｅｒ＿ｃｈａｒａｃｔｅｒｉｓｔｉｃｓの値と同一かどうかを判定する（Ｓ６１１）。
【００８６】
判定の結果同一である場合（Ｓ６１１のＹｅｓ）、現在表示器５２８に表示している番組（視聴している番組）の映像信号に映像信号伝達特性の切り換えが発生していないと判断し、次の送られてくる映像信号からＶＵＩのｔｒａｎｓｆｅｒ＿ｃｈａｒａｃｔｅｒｉｓｔｉｃｓの値の抽出を再度行う（Ｓ６１０）。
【００８７】
判定の結果同一でない場合（Ｓ６１１のＮｏ）、現在表示器５２８に表示している番組（視聴している番組）の映像信号に映像信号伝達特性の切り換えが発生したと判断し、抽出したｔｒａｎｓｆｅｒ＿ｃｈａｒａｃｔｅｒｉｓｔｉｃｓの値を制御部５１０に送る。
【００８８】
ｔｒａｎｓｆｅｒ＿ｃｈａｒａｃｔｅｒｉｓｔｉｃｓを受信した制御部５１０は、現在表示器５２８に表示している番組（視聴している番組）の映像信号に映像信号伝達特性の切り換えが発生したと認識し、Ｓ６１０で抽出したｔｒａｎｓｆｅｒ＿ｃｈａｒａｃｔｅｒｉｓｔｉｃｓの値を判定し（Ｓ６１２）、その値に従って該当する機能ブロックの映像信号伝達特性に関する設定の切り換え処理を行う（Ｓ６１３）。
【００８９】
以降、継続する映像信号が続く限り（Ｓ６０８のＹｅｓ）、Ｓ６０１からの処理を継続する。
【００９０】
Ｓ６０７およびＳ６１３の処理において映像信号伝達特性に関する設定の切り換え処理を行う機能ブロックは、例えば映像デコーダ５０６に配置され、デコード対象の映像信号の映像信号伝達特性の情報をもとにデコーダの設定を制御するデコーダ設定管理部（図示しない）である。また表示制御部５２７に配置され、表示部５２８のバックライトを制御するバックライト制御部（図示しない）である。
【００９１】
図６Ｃは、第１の実施形態の受信機５００における映像信号伝達特性の切り換えを、特定情報としてチャンネル番号を用いて行う場合（図６ＡのＮｏ２の場合）の処理フローの一例を示した図である。
【００９２】
図６Ｃの処理フローと図６Ｂの処理フローとの相違点は、Ｓ６２１の判断がＳ６０１の処理における放送波種別からチャンネル番号に置き換わっている点である。これ以外のＳ６２２からＳ６３３の処理は、Ｓ６０２からＳ６１３の処理と同一である。
【００９３】
図６Ｄは、第１の実施形態の受信機５００における映像信号伝達特性の切り換えを、特定情報としてビデオデコードコントロール記述子の伝達特性の値あるいは映像コンポーネント記述子の映像信号伝達特性の値、ＶＵＩのｔｒａｎｓｆｅｒ＿ｃｈａｒａｃｔｅｒｉｓｔｉｃｓの値のいずれかを用いて行う場合（図６ＡのＮｏ３の場合）の処理フローの一例を示した図である。
【００９４】
Ｓ６４１からＳ６４５が、ＰＭＴの中にビデオデコードコントロール記述子が存在しているかの判定、ビデオデコードコントロール記述子の伝達特性にＨＤＲあるいはＳＤＲが指定されているかの判定を行う処理である。
【００９５】
受信機５００は、放送チューナ５０１で受信した放送波をデマルチプレクサ５０４で分離すると、分離した映像ストリームを映像デコーダ５０６に、付属データを付属データ解析部５０９に送ることで映像信号伝達特性の切り換え処理（Ｓ６４０）を開始する。
【００９６】
制御部５１０は、記述子抽出部５０９２に対して、ＰＭＴの中にビデオデコードコントロール記述子が存在しているかの判定、ビデオデコードコントロール記述子の伝達特性にＨＤＲあるいはＳＤＲが指定されているかの判定を行う指示を出す。
【００９７】
判定の指示を付けた記述子抽出部５０９２は、伝送制御信号からＰＭＴを抽出し（Ｓ６４１）、抽出したＰＭＴからビデオデコードコントロール記述子を抽出する（Ｓ６４２）。
【００９８】
ビデオデコードコントロール記述子を抽出出来た場合（Ｓ６４３のＹｅｓ）、記述子抽出部５０９２は、ビデオデコードコントロール記述子の伝達特性を抽出する（Ｓ６４４）。
【００９９】
ビデオデコードコントロール記述子を抽出出来ない場合（Ｓ６４３のＮｏ）、記述子抽出部５０９２は、その旨を制御部５１０に通知する。通知を受け取った制御部５１０は、ＭＰＴの中にビデオデコードコントロール記述子が存在していないと判断し、現在表示器５２８に表示している番組の映像信号の映像信号伝達特性を認識するために、ＶＵＩのｔｒａｎｓｆｅｒ＿ｃｈａｒａｃｔｅｒｉｓｔｉｃｓを用いる処理に切り換える。
【０１００】
ビデオデコードコントロール記述子の伝達特性を抽出（Ｓ６４４）した記述子抽出部５０９２は、抽出した伝達特性の値の判定を行う（Ｓ６４５）。
【０１０１】
判定の結果伝達特性の値が１１（映像伝達特性を指定しない）でない場合（Ｓ６４５のＮｏ）、記述子抽出部５０９２は、抽出した伝達特性の値が前回抽出した伝達特性の値と同一かどうかを判定する（Ｓ６６５）。
【０１０２】
判定の結果同一である場合（Ｓ６６５のＹｅｓ）、現在表示器５２８に表示している番組（視聴している番組）の映像信号に映像信号伝達特性の切り換えが発生していないと判断し、次に送られてくる伝送制御信号からＰＭＴの抽出を再度行う（Ｓ６４１）。
【０１０３】
判定の結果同一でない場合（Ｓ６６５のＮｏ）、現在表示器５２８に表示している番組（視聴している番組）の映像信号に映像信号伝達特性の切り換えが発生したと判断し、抽出した伝達特性の値を制御部５１０に送る。
【０１０４】
伝達特性を受信した制御部５１０は、表示器５２８に表示している番組の映像信号に映像信号伝達特性の切り換えが発生したと認識し、Ｓ６４４で抽出した伝達特性の値を判定し（Ｓ６６６）、その値に従って該当する機能ブロックの映像信号伝達特性に関する設定の切り換え処理を行う（Ｓ６６７）。
【０１０５】
判定の結果抽出した伝達特性の値が１１（映像伝達特性を指定しない）の場合（Ｓ６４５のＹｅｓ）、記述子抽出部５０９２はその旨を制御部５１０に通知する。通知を受け取った制御部５１０は、ビデオデコードコントロール記述子の伝達特性を用いても受信している番組の映像信号の映像信号伝達特性を認識することができないと判断し、現在表示器５２８に表示している番組の映像信号の映像信号伝達特性を認識するために、ＶＵＩのｔｒａｎｓｆｅｒ＿ｃｈａｒａｃｔｅｒｉｓｔｉｃｓを用いる処理に切り換える。
【０１０６】
制御部５１０は、Ｓ６４３の処理においてビデオデコードコントロール記述子を正しく抽出出来なかった旨を記述子抽出部５０９２から受け取ると、あるいはＳ６４５の処理において伝達特性の値が１１（映像伝達特性を指定しない）である旨を記述子抽出部５０９２から受け取ると、制御情報解析部５０６２にＶＵＩのｔｒａｎｓｆｅｒ＿ｃｈａｒａｃｔｅｒｉｓｔｉｃｓの抽出を指示する。
【０１０７】
抽出の指示を受けた制御情報解析部５０６２は、制御情報からＶＵＩのｔｒａｎｓｆｅｒ＿ｃｈａｒａｃｔｅｒｉｓｔｉｃｓを抽出する（Ｓ６５０）。以降Ｓ６５１からＳ６５３の処理は、図６ＢのＳ６１１からＳ６１３の処理と同一である。
【０１０８】
なお図６Ｂから図６Ｄの処理フローは、第２の指定情報としてビデオデコードコントロール記述子を例にした処理フローであるが、映像コンポーネント記述子を例にした場合でも、記述子名および映像信号伝達特性の情報が異なるだけで同様の処理フローとなる。第２の指定情報として映像コンポーネント記述子を例にした場合の図６Ｂに対応する処理フローを図６Ｅに示す。
【０１０９】
図６Ｅは、第１の実施形態の受信機５００において、第２の指定情報として映像コンポーネント記述子を用いた場合の、図６Ｂに対応する処理フローの一例を示した図である。図６Ｅの図６Ｂとの相違点は、伝送制御信号のテーブル名がＰＭＴからＭＰＴに、記述子名がビデオデコードコントロール記述子から映像コンポーネント記述子に、記述子の要素が伝達特性から映像信号伝達特性に置き換わっている点と、Ｓ６７６の判断する際の値が映像信号伝達特性の値に置き換わっている点である。
【０１１０】
以上のように第１の実施形態の受信機５００においては、表示する番組の映像信号の映像信号伝達特性を認識するのに、ＰＭＴまたはＶＵＩを用いる、あるいはＰＭＴとＶＵＩの両方を用いることが可能である。あるいは第１の実施形態の受信機においては、ＭＰＴまたはＶＵＩを用いる、あるいはＭＰＴとＶＵＩの両方を用いることも可能である。これにより第１の実施形態の受信機は、放送番組の映像信号の映像信号伝達特性に関する情報がＶＵＩ、記述子のいずれに指定されていても、表示器５２８に表示されている放送番組の映像信号の映像信号伝達特性の切り換えに対応して、該当する機能ブロックの設定を変更することが可能となり、放送番組の映像信号を最適に表示することが可能となる。
【０１１１】
＜第２の実施形態＞
第１の実施形態では、例えばＳ６０７やＳ６１３で行う該当機能ブロックの映像信号伝達特性の設定の切り換え処理を行うタイミングは、ビデオデコードコントロール記述子の伝達特性を抽出したタイミング、あるいは映像信号のＶＵＩのｔｒａｎｓｆｅｒ＿ｃｈａｒａｃｔｅｒｉｓｔｉｃｓを抽出したタイミングのいずれか１つのタイミングであった。
【０１１２】
一方先に説明したように、第２の指定情報である例えばＰＭＴに配置されているビデオデコードコントロール記述子の伝達特性あるいはＭＰＴに配置される映像コンポーネント記述子の映像信号伝達特性は、符号化対象の映像信号の映像信号伝達特性の切り換えにともなう受信機の処理に時間的な余裕を持たせるため、符号化対象の映像信号の映像信号伝達特性（第１の指定情報である例えばＶＵＩのｔｒａｎｓｆｅｒ＿ｃｈａｒａｃｔｅｒｉｓｔｉｃｓ）の切り替わるタイミングより前のタイミングから、切り替わり後の映像信号伝達特性に関する情報を設定する仕様となっている。
【０１１３】
そこで第２の実施形態の受信機は、放送番組の映像信号の映像信号伝達特性が切り替わる場合、ＰＭＴに配置されているビデオデコードコントロール記述子の伝達特性の値あるいはＭＰＴに配置される映像コンポーネント記述子の映像信号伝達特性の値が切り替わるタイミング（第２のタイミングとも呼ぶ）から映像信号の映像信号伝達特性（第１の指定情報である例えばＶＵＩのｔｒａｎｓｆｅｒ＿ｃｈａｒａｃｔｅｒｉｓｔｉｃｓ）が切り替わるタイミング（第１のタイミングとも呼ぶ）までの時間を、映像信号の映像信号伝達特性が切り換わる準備時間とし、第１のタイミングおよび第２のタイミングの２つのタイミングを用いて、該当機能ブロックの映像信号伝達特性の設定の切り換えを行うことが可能な受信機である。
【０１１４】
図７Ａは、映像信号の映像信号伝達特性が切り換わるタイミングであるＶＵＩのｔｒａｎｓｆｅｒ＿ｃｈａｒａｃｔｅｒｉｓｔｉｃｓの値が切り換わるタイミング（第１のタイミング）とビデオデコードコントロール記述子の伝達特性の値が切り替わるタイミング（第２のタイミング）との関係の一例を示した図である。
【０１１５】
図７Ａの７０１から７０３は、放送局３００が放送する番組の映像信号を表している。７０１はカメラ等で撮影しているエンコード前の映像信号、７０２は７０１の映像信号をエンコードした後の映像信号、７０３は７０２の映像信号に付属データ等を含め多重化した後の映像信である。
【０１１６】
また７１１と７１２は、受信機５００における受信した番組の映像信号を表している。７１１は受信した放送信号から分離して取り出した映像信号、７１２は７１１の映像信号をデコードした後の映像信号である。横軸は時間軸である。
【０１１７】
カメラ等で撮影している映像信号７０１の映像信号伝達特性をＳＤＲからＨＤＲに切り換える時刻をＴ１とする。この映像信号７０１がエンコーダに入力されると、時刻Ｔ１以前の区間ΔＴ０_ＶＵＩにおけるエンコードされたデータのＶＵＩのｔｒａｎｓｆｅｒ  ｃｈａｒａｃｔｅｒｉｓｔｉｃｓは、１、１１、１４（ＳＤＲ）のいずれかが設定される。一方時刻Ｔ１以降の区間ΔＴ２_ＶＵＩにおけるエンコードされたデータのＶＵＩのｔｒａｎｓｆｅｒ  ｃｈａｒａｃｔｅｒｉｓｔｉｃｓは、１６あるいは１８（ＨＤＲ）が設定される。
【０１１８】
符号化された映像信号は、ＭＰＥＧ−２  Ｓｙｓｔｅｍｓの多重化方式で多重化される際に、ＰＭＴ等の伝送制御信号を含めて多重化される。ここで、多重化される際のＰＭＴに含まれるビデオデコードコントロール記述子の伝達特性の値は、エンコードされた映像信号のＶＵＩのｔｒａｎｓｆｅｒ  ｃｈａｒａｃｔｅｒｉｓｔｉｃｓの値が切り替わる時刻Ｔ１（第１のタイミング）よりΔｔ１前の時刻である時刻Ｔ１´（第２のタイミング）で切り換える。つまり、時刻Ｔ１´以前の区間ΔＴ０_ＰＭＴにおける伝達特性の値は、時刻Ｔ１以前の映像信号のＶＵＩのｔｒａｎｓｆｅｒ  ｃｈａｒａｃｔｅｒｉｓｔｉｃｓの値を引用して１、１１、１４のいずれかが設定され、Ｔ１´以降の区間ΔＴ２_ＰＭＴにおける伝達特性の値は、時刻Ｔ１以降の映像信号のＶＵＩのｔｒａｎｓｆｅｒ  ｃｈａｒａｃｔｅｒｉｓｔｉｃｓの値を引用して、１６あるいは１８が設定される。なおΔｔ１は、ＰＭＴの送信周期の最大値の２倍である２００ｍｓであることが望ましい。
【０１１９】
受信機５００は、放送信号を受信すると、多重化された放送信号から映像信号、音声信号、制御データ等をデマルチプレクサ５０４で分離する。分離された制御データに含まれるビデオデコードコントロール記述子の伝達特性の値は、デコードされた映像信号のＶＵＩのｔｒａｎｓｆｅｒ  ｃｈａｒａｃｔｅｒｉｓｔｉｃｓの値が切り替わる時刻Ｔ１（第１のタイミング）よりΔｔ１前の時刻である時刻Ｔ１´（第２のタイミング）で切り替わって設定されている。つまり受信機５００は、ＰＭＴに含まれるビデオデコードコントロール記述子の伝達特性の値を認識することで、デコード対象の映像信号の映像信号伝達特性が切り換わるタイミングよりΔｔ１だけ先に、映像信号の映像信号伝達特性が切り換わることを認識することが可能となる。
【０１２０】
図７Ａの例では、ＳＤＲからＨＤＲに切り替わる例として説明しているが、ＨＤＲからＳＤＲに切り替わる場合、ＨＤＲ（１６）とＨＤＲ（１８）とが切り替わる場合でも、ＶＵＩのｔｒａｎｓｆｅｒ＿ｃｈａｒａｃｔｅｒｉｓｔｉｃｓの値が切り換わるタイミング（第１のタイミング）とビデオデコードコントロール記述子の伝達特性の値が切り替わるタイミング（第２のタイミング）との関係は変わらない。
【０１２１】
図７Ｂは、第２の実施形態の受信機５００における映像信号伝達特性の切り換えを、第１のタイミングと第２のタイミングで行う場合の処理フローの一例を示した図である。
【０１２２】
受信機５００は、放送チューナ５０１で受信した放送波をデマルチプレクサ５０４で分離すると、分離した映像信号を映像デコーダ５０６に、付属データを付属データ解析部５０９に送ることで映像信号伝達特性の切り換え処理（Ｓ７００）を開始する。
【０１２３】
制御部５１０は、記述子抽出部５０９２にビデオデコードコントロール記述子の伝達特性の抽出を指示する。Ｓ７０２からＳ７０６の処理は、図６ＢのＳ６０２からＳ６０６の処理と同一である。
【０１２４】
Ｓ７０６でＹｅｓの場合制御部５１０は、Ｓ７０４で抽出した伝達特性の値に従って該当する第２の機能ブロックの映像信号伝達特性に関する設定の切り換え処理を行う（Ｓ７０７）。
【０１２５】
ここでＳ７０７の処理と図６ＢのＳ６０７の処理との相違点は、伝達特性の値が切り替わるタイミング（第２のタイミング）において、Ｓ６０７の処理は映像信号伝達特性に関する設定の切り換えが必要な機能ブロックすべてに対して設定の切り換えを行うのに対して、Ｓ７０７の処理は特定の機能ブロックである第２の機能ブロックに対してだけ設定の切り換え処理を行う点である。
【０１２６】
制御部５１０は、第２の機能ブロックの映像信号伝達特性に関する設定の切り換え処理を行う（Ｓ７０７）と、映像信号伝達特性に関する設定の切り換え処理が必要な残りの機能ブロックである第１の機能ブロックに対して、ＶＵＩのｔｒａｎｓｆｅｒ＿ｃｈａｒａｃｔｅｒｉｓｔｉｃｓの値が切り換わるタイミング（第１のタイミング）で行うために、制御情報解析部５０６２にＶＵＩのｔｒａｎｓｆｅｒ＿ｃｈａｒａｃｔｅｒｉｓｔｉｃｓの抽出を指示する。
【０１２７】
抽出の指示を受けた制御情報解析部５０６２は、制御情報からＶＵＩのｔｒａｎｓｆｅｒ＿ｃｈａｒａｃｔｅｒｉｓｔｉｃｓを抽出する（Ｓ７１０）。以降Ｓ７１０からＳ７１２の処理は、図６ＢのＳ６１０からＳ６１２の処理と同一である。
【０１２８】
Ｓ７１２でＹｅｓの場合、制御部５１０は、Ｓ７１０で抽出した伝達特性の値に従って第１の機能ブロックの映像信号伝達特性に関する設定の切り換え処理を行う（Ｓ７１３）。
【０１２９】
ここでＳ７１３の処理と図６ＢのＳ６１３の処理との相違点は、ＶＵＩのｔｒａｎｓｆｅｒ＿ｃｈａｒａｃｔｅｒｉｓｔｉｃｓの値が切り換わるタイミング（第１のタイミング）において、Ｓ６１３の処理は映像信号伝達特性に関する設定の切り換えが必要な機能ブロックすべてに対して設定の切り換えを行うのに対して、Ｓ７１３の処理は特定の機能ブロックである第１の機能ブロックに対してだけ映像信号伝達特性に関する設定の切り換え処理を行う点である。
【０１３０】
第１の機能ブロックは、受信機５００が受信した番組の映像信号のＶＵＩのｔｒａｎｓｆｅｒ＿ｃｈａｒａｃｔｅｒｉｓｔｉｃｓの値の切り換わりを認識した第１のタイミングで映像信号伝達特性に関する設定を切り換えるため、映像信号伝達特性に関する設定の切り換えに時間を要しない機能ブロックあるいは映像信号伝達特性に関する設定の切り換えを映像信号の映像信号伝達特性の切り換わりに同期させる必要がある機能ブロックであることが望ましい。一方第２の機能ブロックは、受信機５００がビデオデコードコントロール記述子の伝達特性あるいは映像コンポーネント記述子の映像信号伝達特性の値の切り換わりを認識した第２のタイミングで、その認識した値に従って映像信号伝達特性に関する設定を切り換える処理を行う機能ブロックである。従って第２の機能ブロックは、受信した番組の映像信号の映像信号伝達特性の切り換えタイミングまで準備時間があるため、映像信号伝達特性に関する設定の切り換えに時間を要する機能ブロックであることが望ましい。
【０１３１】
図７Ｃは、第１の機能ブロックおよび第２の機能ブロックの具体的な例を示した図である。
【０１３２】
第１の機能ブロックの一例としてＥＯＴＦ制御部（図示しない）は、表示制御部５２７に配置され映像デコーダ５０６から送られてくるデコード後の映像信号を、ディスプレイに表示する信号に変換するためのＥＯＴＦを制御する機能ブロックである。またデコーダ設定管理部（図示しない）は、映像デコーダ５０６に配置され、デコード対象の映像信号の映像信号伝達特性の情報をもとにデコーダの設定を制御する機能ブロックである。これら機能ブロックは、受信した番組の映像信号の映像信号伝達特性に関係する機能ブロックのため、受信した番組の映像信号の映像信号伝達特性が切り替わるタイミングに対応して設定を切り換えることが望ましい。
【０１３３】
第２の機能ブロックの一例としてバックライト制御部（図示しない）は、表示制御部５２７に配置され、表示部５２８のバックライトを制御する機能ブロックである。またパネル表示制御部は、表示器制御部５２７に配置され表示器５２８の表示パネルの設定の制御をする機能ブロックである。これら表示器５２８に表示する映像に関して制御する機能ブロックは、表示器５２８に表示される実際の映像が視聴者に違和感を与えないようにするために、第２のタイミングにおいて映像信号伝達特性に関する設定の切り換えを緩やかに行うことが望ましい。
【０１３４】
なお図７Ａと図７Ｂとは、第２の指定情報としてビデオデコードコントロール記述子を例にした図であるが、映像コンポーネント記述子を例にした場合でも記述子名および映像信号伝達特性の情報が異なるだけで同様の図となる。
【０１３５】
さらに第２の実施形態の受信機５００は、映像信号の映像信号伝達特性が切り替わるタイミングにおいて、表示器５２８に表示される実際の映像が視聴者に違和感を与えないようにするため、表示器５２８に表示する映像をミュートにする制御をすることも可能である。
【０１３６】
図７Ｄは、図７Ａ同様に映像信号の映像信号伝達特性が切り替わるタイミングであるＶＵＩのｔｒａｎｓｆｅｒ＿ｃｈａｒａｃｔｅｒｉｓｔｉｃｓの値が切り換わるタイミング（第１のタイミング）とビデオデコードコントロール記述子の伝達特性の値が切り替わるタイミング（第２のタイミング）との関係の他の例を示した図である。ただし映像信号の映像信号伝達特性が切り替わるタイミングであるＴ１の前後において、映像信号の伝達特性が切り替わっても問題のない映像として、送信側が黒画面等を挿入する場合の例である。
【０１３７】
図７Ｄの７２１から７２３は、放送局３００における放送する番組の映像信号を表しており、図７Ａの７０１から７０３に対応する。また７３１と７３２は、受信機５００における受信した番組の映像信号を表しており、図７Ａの７１１と７１２に対応する。７３３は、表示器５２８に実際に表示される番組の映像信号を表している。
【０１３８】
７２１のΔｔ１の区間およびΔｔ２の区間の映像は、映像信号の伝達特性が切り替わっても問題のない映像として、黒画面等が挿入されている。Δｔ１は、ＰＭＴの送信周期の最大値の２倍である２００ｍｓであることが望ましい。またΔｔ２は、映像信号の映像信号伝達特性の切り換えに対応して受信機５００が安定するまでの時間として５００ｍｓであることが望ましい。放送局３００は、図７Ａ同様にビデオデコードコントロール記述子の伝達特性の値を、エンコードされた映像信号のＶＵＩのｔｒａｎｓｆｅｒ  ｃｈａｒａｃｔｅｒｉｓｔｉｃｓの値を切り換える時刻Ｔ１（第１のタイミング）よりΔｔ１前の時刻である時刻Ｔ１´（第２のタイミング）で切り換える。
【０１３９】
第２の実施形態の受信機５００は、映像信号の映像信号伝達特性の切り換えに対応して放送局３００が黒画面等を挿入してくることも考慮して、表示器５２８に表示される実際の映像が視聴者に違和感を与えないようにするために、ビデオデコードコントロール記述子の伝達特性の値が切り替わるタイミング（第２のタイミング）において表示器５２８に表示する映像をミュートにする制御をすることも可能である。図７Ｄの７３３のΔｔ３は、受信機５００が表示器５２８に表示する映像をミュートに制御している区間を表している。また受信機５００は、このΔｔ３の区間の長さを長くしたり短くしたり制御することも可能である。また受信機５００は、Δ３ｔの区間の長さを０つまり無くしてしまうことも可能である。また受信機５００は、Δｔ３の長さを、ＳＤＲからＨＤＲへの切り換えの場合とＨＤＲからＳＤＲへの切り換えの場合、あるいはＨＤＲ（１６）からＨＤＲ（１８）への切り換え場合というように、映像信号伝達特性の切り換え元と切り換え先の組み合わせに応じてΔｔ３の長さを変えてもよい。
【０１４０】
以上のように第２の実施形態の受信機５００においては、ＰＭＴの送信周期で映像信号伝達特性に関する情報の切り換わりを認識することに加え、ＶＵＩの値の切り換わりも認識することで、受信している映像信号の映像信号伝達特性の切り換えに対する準備時間と実際の切り換え時間との２種類の時間を認識することが可能である。これにより第２の実施形態の受信機５００は、映像信号伝達特性に関する設定の切り換えが必要な機能ブロックを、第１のタイミングで設定の切り換えを行う第１の機能ブロックと第２のタイミングで設定の切り換えを行う第２の機能ブロックとに分けて切り換えの処理を処理することが可能となる。これにより第２の実施形態の受信機５００は、表示器５２８に表示している映像を視聴しているユーザに対して違和感を与えることなく、映像信号の映像信号伝達特性に関する設定の切り換えを行うことが可能となる。
【０１４１】
さらに第２の実施形態の受信機５００は、ビデオデコードコントロール記述子の伝達特性の値あるいはＭＰＴに配置される映像コンポーネント記述子の映像信号伝達特性の値が切り替わるタイミングである第２のタイミングにおいて、表示器５２８に表示する映像をミュートにする制御を行うことも可能である。これにより第２の実施形態の受信機５００は、表示器５２８に表示している映像を視聴しているユーザに対して違和感を与えることなく、映像信号の映像信号伝達特性に関する設定の切り換えを行うことが可能となる。また第２の実施形態の受信機５００は、表示器５２８に独自の映像を表示して、ユーザに対して違和感を与えることなく、映像信号の映像信号伝達特性に関する設定の切り換えを行うことも可能となる。
【０１４２】
＜第３の実施形態＞
第１の実施形態および第２の実施形態の受信機５００は、同一のservice_id、component_tagの番組において異なる映像信号伝達特性への切り換えが行われる場合に、放送信号に含まれているビデオデコードコントロール記述子の伝達特性の値または映像コンポーネント記述子の映像信号伝達特性の値、ＶＵＩのｔｒａｎｓｆｅｒ＿ｃｈａｒａｃｔｅｒｉｓｔｉｃｓの値を認識して、映像信号伝達特性の設定の切り換えが必要な機能ブロックに対して制御を行う受信機である。
【０１４３】
しかし非特許文献４に記載の通り、受信機５００は１ＴＬＶストリーム内においてＳＤＲとＨＤＲの映像フォーマットを複数同時に受信することが可能である。１ＴＬＶストリームにおける複数の映像フォーマットは、それぞれ異なるservice_idのもと独立したサービスとして送られてくる場合と、１つのserivce_idのもとでマルチアセット・マルチビューとして送られてくる場合がある。
【０１４４】
そこで第３の実施形態の受信機５００は、受信した番組が１ＴＬＶストリーム内においてＳＤＲとＨＤＲの映像フォーマットを持つ場合に対応して、視聴者の操作に応じて、映像信号伝達特性の切り換えの設定が必要な機能ブロックの制御を行うことが可能な受信機である。
【０１４５】
図８Ａは、表示器５２８に表示されている番組の映像の例を示した図である。表示されている映像は、ＳＤＲとする。また画面右下の「ＨＤＲ放送」８０１の表示は、同一のＴＬＶストリーム内において、表示器５２８に表示されている番組の映像信号とは別のＨＤＲの映像信号が同時に放送されていることを示していることの例である。このＨＤＲの映像信号は、番組の内容としては表示器５２８に表示されている映像信号伝達特性がＳＤＲの番組と同一であるが、映像信号伝達特性だけがＨＤＲである映像信号である。
【０１４６】
この同一のＴＬＶストリーム内において、映像信号伝達特性が異なる映像信号に切り換えて表示器５２８に表示させるために、例えばリモコン（リモートコントローラ）に映像信号伝達特性の切り換えボタンを設けてもよい。
【０１４７】
図８Ｂは、表示器５２８に表示されている番組の映像信号に対して、映像信号伝達特性が異なる映像信号の表示に切り換えるための、リモコン上の操作ボタンの例を示した図である。ボタン８０２が、表示器５２８に表示されている番組の映像信号に対して映像信号伝達特性が異なる映像信号に切り換えて表示させるための操作ボタンである。視聴者は、ボタン８０２を押下することで、表示器５２８に表示されている番組の映像信号をＳＤＲからＨＤＲあるいはＨＤＲからＳＤＲへの切り換え、もしくはＨＤＲ（１６）とＨＤＲ（１８）との切り換えをすることができる。
【０１４８】
図９Ａは、第３の実施形態の受信機５００における映像信号伝達特性の切り換えを、ボタン８０２が押下されたことをトリガに行う場合の処理フローの一例を示した図である。
【０１４９】
受信機５００は、ボタン８０２の押下を検出すると、映像信号伝達特性の切り換え処理を開始する（Ｓ９００）。ボタン８０２が押下されたイベントは、制御部５１０に通知される。ボタン８０２押下のイベントを受け取った制御部５１０は、映像信号伝達特性の切り換え処理を行うために、現在表示器５２８に表示されている番組が、１ＴＬＶストリーム内にＳＤＲとＨＤＲの映像フォーマットを有しているかを確認する（Ｓ９０１）。
【０１５０】
確認の結果、１ＴＬＶストリーム内にＳＤＲとＨＤＲの映像フォーマットを有している場合（Ｓ９０１のＹｅｓ）、制御部５１０はビデオデコードコントロール記述子の伝達特性の値を参照する。以下Ｓ９０２からＳ９０４の処理は図６ＢのＳ６０２からＳ６０４の処理と同一であり、Ｓ９０５からＳ９０６の処理は図６ＢのＳ６０６からＳ６０７の処理と同一である。
【０１５１】
Ｓ９０６の処理において映像信号伝達特性に関する設定の切り換え処理を行う機能ブロックは、例えば映像デコーダ５０６に配置され、デコード対象の映像信号の映像信号伝達特性の情報をもとにデコーダの設定を制御するデコーダ設定管理部である。また表示制御部５２７に配置され、表示部５２８のバックライトを制御するバックライト制御部である。
【０１５２】
なお、図９Ａの処理フローは、制御部５１０はビデオデコードコントロール記述子の伝達特性の値を参照して映像信号伝達特性の切り換えの処理を行ったが、ＶＵＩのｔｒａｎｓｆｅｒ＿ｃｈａｒａｃｔｅｒｉｓｔｉｃｓの値を参照して映像信号伝達特性の切り換えの処理を行ってもよい。
【０１５３】
このように第３の実施形態の受信機５００は、ボタン８０２が押下されたことをトリガに、現在表示器５２８に表示している映像信号が１ＴＬＶストリーム内にＳＤＲとＨＤＲの映像フォーマットを有しているかを確認し、有している場合は現在表示器５２８に表示している映像信号とは異なる映像信号伝達特性の映像信号に切り換えて表示することが可能である。
【０１５４】
また第３の実施形態の受信機５００は、第１の実施形態の図６Ｄに示した処理フローのように、ビデオデコードコントロール記述子の伝達特性の値あるいは映像コンポーネント記述子の映像信号伝達特性の値、ＶＵＩのｔｒａｎｓｆｅｒ＿ｃｈａｒａｃｔｅｒｉｓｔｉｃｓの値に応じて、いずれの値を用いるかを決定して映像信号伝達特性の切り換えの処理を行ってもよい。
【０１５５】
さらに第３の実施形態の受信機５００は、現在表示器５２８に表示されている番組の映像信号に対して、ボタン８０２の操作により映像信号伝達特性が異なる映像信号の表示に切り換える場合、第２の実施形態の図７Ｂの示した処理フローのように、図７Ｃに示す第１の機能ブロック、第２の機能ブロックに応じて映像信号伝達特性の切り換え設定のタイミングを制御することも可能である。
【０１５６】
図９Ｂは、第３の実施形態の受信機５００において、ボタン８０２が押下されたタイミングと、第１の機能ブロックおよび第２の機能ブロックの映像信号伝達特性に関する設定の切り換えタイミングの関係の一例を示した図である。
【０１５７】
９０１は、表示器５２８に表示されている番組の映像信号である。９０２は、第２の機能ブロックの映像信号伝達特性に関する設定に関して、設定内容を切り換えるタイミング（第４のタイミングとも呼ぶ）を示した図である。Ｔ１０が、ボタン８０２が押下されたタイミングである。区間Δｔ１１は、第２の機能ブロックの映像信号伝達特性に関する設定がボタン８０２押下前の設定である区間、区間Δｔ１２は、第２の機能ブロックの映像信号伝達特性に関する設定がボタン８０２押下後の設定である区間を表している。つまり受信機５００は、ボタン８０２が押下されたタイミングで第２の機能ブロックの映像信号伝達特性に関する設定を切り換える。
【０１５８】
同様に９０３は、第１の機能ブロックの映像信号伝達特性に関する設定において、設定内容が切り換わるタイミング（第３のタイミングとも呼ぶ）を示した図である。区間Δｔ２１は、第１の機能ブロックの映像信号伝達特性に関する設定がボタン８０２押下前の設定である区間、区間Δｔ２２は、第１の機能ブロックの映像信号伝達特性に関する設定がボタン８０２押下後の設定である区間を示している。つまり受信機５００は、ボタン８０２が押下されたタイミングからΔｔ３０後の時刻Ｔ２０のタイミングで第１の機能ブロックの映像信号伝達特性に関する設定を切り換える。
【０１５９】
このように第３の実施形態の受信機５００は、ボタン８０２が押下されたことをトリガとして、第１の機能ブロックの映像信号伝達特性に関する設定のタイミング（第３のタイミング）と、第２の機能ブロックの映像信号伝達特性に関する設定のタイミング（第４のタイミング）を、個々に設定することも可能である。
【０１６０】
図９Ｂの例では、第２の機能ブロックの映像信号伝達特性に関する設定が切り換わるタイミング（第４のタイミング）は、ボタン８０２が押下されたタイミングであるが、これに限るものではない。第２の機能ブロックの映像信号伝達特性に関する設定が切り換わるタイミング（第４のタイミング）は、例えばとボタン８０２が押下されたタイミングから一定時間後でもよい。また第２の機能ブロックの映像信号伝達特性に関する設定が切り換わるタイミング（第４のタイミング）と第１の機能ブロックの映像信号伝達特性に関する設定が切り換わるタイミング（第３のタイミング）の間隔であるΔｔ３０の長さも、受信機５００が独自に設定することが可能である。
【０１６１】
図９Ｃは、第３の実施形態の受信機５００において、第１の機能ブロックおよび第２の機能ブロックに対して、映像信号伝達特性に関する設定の切り換えのタイミングを個々に設定する場合の処理フローの一例を示した図である。
【０１６２】
図９Ｃと図９Ａとの相違点は、図９ＡはＳ９０６の処理において、映像信号伝達特性に関する設定の切り換えが必要な機能ブロックすべてに対して設定の切り換えを行うのに対して、図９ＣはＳ９１６の処理のタイミングで第２の機能ブロックに対してだけ設定の切り換え処理を行い、一定時間経過後のＳ９１８の処理のタイミングで第１の機能ブロックに対してだけ設定の切り換え処理を行う点である。
【０１６３】
以上のように第３の実施形態の受信機５００においては、表示器５２８に表示されている映像の映像信号伝達特性を視聴者の好みに応じて切り換えることが可能となり、視聴者の使い勝手が格段に向上する。
【０１６４】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。また、複数の実施形態を組み合わせてもよく、この組み合わせで構成される実施例も発明の範疇である。また請求項を制御ロジックとして表現した場合、コンピュータを実行させるインストラクションを含むプログラムとして表現した場合、及び前記インストラクションを記載したコンピュータ読み取り可能な記録媒体として表現した場合でも本発明の装置を適用したものである。また、使用している名称や用語についても限定されるものではなく、他の表現であっても実質的に同一内容、同趣旨であれば、本発明に含まれるものである。
【符号の説明】
【０１６５】
２００・・・放送局、２０１・・・放送局サーバ、２０２・・・第１のセキュリティー機能、２０３・・・第１の基本機能、２１０・・・受信機、２１１・・・第２の基本機能、２１２・・・第２のセキュリティー機能、２１４・・・アプリケーション管理機能、２１５・・・アプリケーション、２２０・・・表示器、２３０・・・ＨＤＤ、３０１・・・映像エンコーダ、５０６・・・映像デコーダ、５２１・・・統合制御器、５２７・・・表示制御部、５２８・・・表示器、５３０・・・スピーカー。
【図１】
2018207210.tif 000003
【図２】
2018207210.tif 000004
【図３Ａ】
2018207210.tif 000005
【図３Ｂ】
2018207210.tif 000006
【図３Ｃ】
2018207210.tif 000007
【図３Ｄ】
2018207210.tif 000008
【図３Ｅ】
2018207210.tif 000009
【図３Ｆ】
2018207210.tif 000010
【図３Ｇ】
2018207210.tif 000011
【図３Ｈ】
2018207210.tif 000012
【図４】
2018207210.tif 000013
【図５Ａ】
2018207210.tif 000014
【図５Ｂ】
2018207210.tif 000015
【図６Ａ】
2018207210.tif 000016
【図６Ｂ】
2018207210.tif 000017
【図６Ｃ】
2018207210.tif 000018
【図６Ｄ】
2018207210.tif 000019
【図６Ｅ】
2018207210.tif 000020
【図７Ａ】
2018207210.tif 000021
【図７Ｂ】
2018207210.tif 000022
【図７Ｃ】
2018207210.tif 000023
【図７Ｄ】
2018207210.tif 000024
【図８Ａ】
2018207210.tif 000025
【図８Ｂ】
2018207210.tif 000026
【図９Ａ】
2018207210.tif 000027
【図９Ｂ】
2018207210.tif 000028
【図９Ｃ】
2018207210.tif 000029